(57)【要約】【課題】複数のキートップをキートップ保持体に取り付ける際に、各キートップ相互の取付位置を間違うことがないキートップ付スイッチ体を提供する。【解決手段】複数のスイッチ１５を設けたスイッチ基板１０と、ゴム状弾性材製のキートップ保持体５０と、複数のキートップ１００ａ〜ｄとを具備する。各キートップ１００ａ〜ｄから突出するスイッチ押圧部１０５を、キートップ保持体５０の各押圧部挿通孔５９に挿通する。各キートップ１００ａ〜ｄのスイッチ押圧部１０５の外周面から１対の位置決め用突起部１０７を突出する。各押圧部挿通孔５９の周囲に位置決め用突起部１０７を挿入する１対ずつの突起部挿通溝６１を設ける。各キートップ１００ａ〜ｄの１対の位置決め用突起部１０７の突出方向をキートップ１００ａ〜ｄに応じて異ならせる。【選択図】図３
2010118197.tif 000002
【特許請求の範囲】
【請求項１】
上面に複数のスイッチを設けたスイッチ基板と、前記スイッチ基板上に設置されるゴム状弾性材製のキートップ保持体と、前記キートップ保持体上に取り付けられる複数のキートップとを具備し、
前記各キートップは略同一形状であってかつ指標が互いに異なっているキートップ本体から押圧方向に向けてスイッチ押圧部を突出した構造を有し、
前記各キートップのスイッチ押圧部を、前記キートップ保持体に設けた各押圧部挿通孔に挿通して各スイッチ押圧部の先端をそれぞれ前記複数のスイッチに対向させてなるキートップ付スイッチ体において、
前記各キートップのスイッチ押圧部の外周面から押圧方向を直交する方向に向けて少なくとも１対の位置決め用突起部を突出して設けるとともに、前記キートップ保持体の各押圧部挿通孔の周囲に前記各キートップの位置決め用突起部を挿入する突起部挿通溝を設け、
前記各キートップの１対の位置決め用突起部の突出方向を、キートップに応じて異ならせたことを特徴とするキートップ付スイッチ体。
【請求項２】
請求項１に記載のキートップ付スイッチ体において、
前記キートップ保持体下面の前記押圧部挿通孔の周囲に、下方向に突出する制音用突起を設け、この制音用突起の下端を、押圧部挿通孔に挿入するスイッチ押圧部の下端と同一位置またはそれよりも下方に位置させたことを特徴とするキートップ付スイッチ体。
【発明の詳細な説明】
【技術分野】
【０００１】
本発明は、各種電子機器の操作パネルなどとして用いられるキートップ付スイッチ体に関するものである。
【背景技術】
【０００２】
従来、各種電子機器、たとえば携帯用デジタルカメラなどには、これを操作するための各種操作ボタン（キートップ）を取り付けたキートップ付スイッチ体（操作パネル）が設置されている。この種のキートップ付スイッチ体は、スイッチ基板に設けた複数のスイッチの上にそれぞれキートップを設置する構造となっている。複数のキートップを各スイッチ上に上下動自在に設置する方法としては、たとえば特許文献１の図９に示すように、平板状のゴム状弾性板上に、成形樹脂製のキートップを接着剤で接着する方法がある。
【０００３】
しかしながら上記従来例において、キートップの上面に所望の文字や記号などが形成されてその回転方向に方向性がある場合、各キートップをゴム状弾性板上に接着する際、回転方向の位置決めを行う必要があり、その取り付け作業が煩雑であった。
【０００４】
これを解決するため、特許文献２においては、キートップ（１０）のスイッチ押圧部（１７）の外周面から半径方向外方に向けて一対の係止片（１９，２１）を突設し、これら一対の係止片（１９，２１）の位置をスイッチ押圧部（１７）を中心点として非点対称の位置に配置し、ゴム状弾性板からなるキートップ保持体（５０）のスイッチ押圧部挿入部（５３）の外周に設けた係止片係合部（５５，５７）に前記係止片（１９，２１）を係合する方法が提案されている。この方法によれば、ゴム状弾性板（５０）に対するキートップ（１０）の回転方向の正確な位置決めが容易に行える。
【０００５】
しかしながら上記特許文献２の場合においても、特許文献１の図９に示すように、複数のキートップを１つのキートップ保持体に取り付ける場合、各キートップ相互の取付位置を誤認してしまう恐れがあった。
【０００６】
またスイッチとして弾性金属板をドーム形状に形成してなる反転板を用いた場合は、これがキートップのスイッチ押圧部によって押圧されて反転する際に音や振動が生じ、この音や振動が電子機器のマイクに受信されて雑音として録音されるなどの問題もあった。この問題を解決するため、従来は各種防音部材を設置するなどしていたが、部品点数が増加し、また組み立て工数が増加するなどの問題があった。
【特許文献１】特開２００２−３６７４７１号公報
【特許文献２】特開２００６−３４４５１６号公報
【発明の開示】
【発明が解決しようとする課題】
【０００７】
本発明は上述の点に鑑みてなされたものでありその目的は、複数のキートップをキートップ保持体に取り付ける際に、各キートップ相互の取付位置を間違うことなく、製造も容易であり、さらに簡単な構造で効果的な防音（防振）が図れるキートップ付スイッチ体を提供することにある。
【課題を解決するための手段】
【０００８】
本願請求項１に記載の発明は、上面に複数のスイッチを設けたスイッチ基板と、前記スイッチ基板上に設置されるゴム状弾性材製のキートップ保持体と、前記キートップ保持体上に取り付けられる複数のキートップとを具備し、前記各キートップは略同一形状であってかつ指標が互いに異なっているキートップ本体から押圧方向に向けてスイッチ押圧部を突出した構造を有し、前記各キートップのスイッチ押圧部を、前記キートップ保持体に設けた各押圧部挿通孔に挿通して各スイッチ押圧部の先端をそれぞれ前記複数のスイッチに対向（当接または間隙を有する場合の両者を含む）させてなるキートップ付スイッチ体において、前記各キートップのスイッチ押圧部の外周面から押圧方向を直交する方向に向けて少なくとも１対の位置決め用突起部を突出して設けるとともに、前記キートップ保持体の各押圧部挿通孔の周囲に前記各キートップの位置決め用突起部を挿入する突起部挿通溝を設け、前記各キートップの１対の位置決め用突起部の突出方向を、キートップに応じて異ならせたことを特徴とするキートップ付スイッチ体にある。
【０００９】
本願請求項２に記載の発明は、請求項１に記載のキートップ付スイッチ体において、前記キートップ保持体下面の前記押圧部挿通孔の周囲に、下方向に突出する制音用突起を設け、この制音用突起の下端を、押圧部挿通孔に挿入するスイッチ押圧部の下端と同一位置またはそれよりも下方に位置させたことを特徴とするキートップ付スイッチ体にある。
【発明の効果】
【００１０】
請求項１に記載の発明によれば、各キートップの１対の位置決め用突起部の突出方向をキートップに応じて異ならせたので、複数のキートップをゴム状弾性板に取り付ける際に、各キートップ相互の取付位置を間違うことがない。
【００１１】
請求項２に記載の発明によれば、スイッチ押圧部がスイッチを押圧する際に、制音用突起の下端がスイッチ上またはスイッチの周囲の面に当接するので、スイッチ押圧部がスイッチを押圧する際に発生しようとする音や振動を、制音用突起が抑制または吸収し、これらの音または振動の発生を防止することができる。この効果は、特にスイッチとしてその上部に反転板を設置している場合の反転板から生じる音や振動を抑制するのに効果的である。また制音用突起はキートップ保持体の一部として形成されるので、部品点数が増加することなく、組み立て工数も増加せず、容易かつ低コストに生産することができる。
【発明を実施するための最良の形態】
【００１２】
以下、本発明の実施形態を図面を参照して詳細に説明する。図１は本発明の１実施形態にかかるキートップ付スイッチ体１の斜視図、図２はキートップ付スイッチ体１の分解斜視図、図３はキートップ付スイッチ体１を下側から見た分解斜視図である。これらの図に示すようにキートップ付スイッチ体１は、上面に複数（４つ）のスイッチパターン１５ａ，１５ｂを設けたスイッチ基板１０と、前記スイッチパターン１５ａ，１５ｂと合わせてスイッチ１５を構成する反転板４０と、スイッチ基板１０上に設置されるゴム状弾性材製のキートップ保持体５０と、キートップ保持体５０上に取り付けられる複数のキートップ１００ａ，１００ｂ，１００ｃ，１００ｄとを具備して構成されている。なお以下の説明において、「上」とはスイッチ基板１０からキートップ１００ａ，１００ｂ，１００ｃ，１００ｄ側を向く方向をいい、「下」とはその反対方向をいうものとする。
【００１３】
スイッチ基板１０は、フレキシブルスイッチ基板１１を成形樹脂製の基板取付台３０にインサート成形して構成されている。図４はフレキシブルスイッチ基板１１の斜視図である。同図に示すようにフレキシブルスイッチ基板１１は、可撓性を有する合成樹脂フイルム（この実施形態ではポリエチレンテレフタレート（ＰＥＴ）フイルム）１３を略帯状に形成し、その上面に１列に複数（４つ）の一対ずつのスイッチパターン１５ａ，１５ｂを形成し、各スイッチパターン１５ａ，１５ｂから引き出した回路パターン（図示を省略）を合成樹脂フイルム１１の略中央から引き出した略帯状の引出部１７先端のコネクタ部１９に設けた接続用パターン２１に接続して構成されている。スイッチパターン１５ａは点形状であり、スイッチパターン１５ｂはスイッチパターン１５ａを囲むようにＣ字形状である。スイッチパターン１５ａから引き出される回路パターンのスイッチパターン１５ｂの間を通過する部分には図示はしないが下記する反転板４０が触れないように絶縁層が被覆されている。合成樹脂フイルム１３中のスイッチパターン１５ｂを囲む位置には小孔２３が形成され、フレキシブルスイッチ基板１１の上下面に成形される基板取付台３０（下記する周壁部３３の部分）を連結するようにしている。
【００１４】
基板取付台３０は前記フレキシブルスイッチ基板１１の外周側面と下面とを覆うように成形され、さらにフレキシブルスイッチ基板１１の上面の各スイッチパターン１５ａ，１５ｂの周囲を囲む位置にも成形されている。つまり各スイッチパターン１５ａ，１５ｂの周囲は略リング状の周壁部３３によって囲まれ、周壁部３３の内部は各スイッチパターン１５ａ，１５ｂが露出する反転板収納部３５となっている。基板取付台３０の上面の所定位置には、複数（６つ）の小突起３７が設けられている。基板取付台３０の材質はこの実施形態ではＡＢＳ樹脂を用いているが、他の各種熱可塑性の合成樹脂を用いてもよい。
【００１５】
前記基板取付台３０の各反転板収納部３５にはそれぞれ反転板４０が収納される。反転板４０は弾性金属板を略ドーム形状に形成して構成されており、その外径寸法は前記反転板収納部３５の内径寸法よりも少しだけ小さい寸法となっている。
【００１６】
キートップ保持体５０はゴム状弾性材を前記スイッチ基板１０の上面を略覆う略板形状に成形して構成されており、この実施形態ではシリコンゴムを使用している。もちろんゴム状弾性を有する材質であれば、他の各種材質のものを用いてもよい。キートップ保持体５０の、前記スイッチ基板１０の各反転板収納部３５に対向する位置には、キートップ取付部５１が設けられている。各キートップ取付部５１は、円形のコップを伏せた形状を有しており、円形のキートップ載置部５３の周囲に筒状の側壁部５５を設けて構成されている。側壁部５５の下部には、皿状に上方向に突出し側壁部５５より半径方向外方に広がる形状のたわみ部５７が連結されており、一方キートップ載置部５３の中央に上下に貫通する１つの押圧部挿通孔５９及び一対の突起部挿通溝６１，６１が形成されている。
【００１７】
押圧部挿通孔５９は下記するキートップ１００ａ，１００ｂ，１００ｃ，１００ｄのスイッチ押圧部１０５をぴったり挿通する円形の小孔によって形成され、一対の突起部挿通溝６１，６１は下記するキートップ１００ａ，１００ｂ，１００ｃ，１００ｄの一対の位置決め用突起部１０７をぴったり挿通する矩形状の凹部によって形成されている。以下で説明するが、各キートップ１００ａ，１００ｂ，１００ｃ，１００ｄの一対の位置決め用突起部１０７は、それぞれスイッチ押圧部１０５の外周面からの半径方向への突出方向が、各キートップ１００ａ，１００ｂ，１００ｃ，１００ｄ毎に異なっており、これに伴って各押圧部挿通孔５９から位置決め用突起部１０７が突出する方向も各押圧部挿通孔５９毎に異なっている。具体的には、図２において各押圧部挿通孔５９が並んでいる方向を方向Ａとすると、同図の左端の押圧部挿通孔５９には、前記方向Ａに向かう直線状の突起部挿通溝６１と、方向Ａよりも少し手前側に傾く方向に向かう直線状の突起部挿通溝６１とが設けられ、その隣の押圧部挿通孔５９には、前記方向Ａに向かう直線状の突起部挿通溝６１と、方向Ａよりも少し奥側に傾く方向に向かう直線状の突起部挿通溝６１とが設けられ、その隣の押圧部挿通孔５９には、両者とも前記方向Ａに向かう直線状の突起部挿通溝６１が設けられ、右端の押圧部挿通孔５９には、両者とも前記方向Ａに直交する方向に向かう直線状の突起部挿通溝６１が設けられている。
【００１８】
図３に示すように、各キートップ載置部５３下面の前記各押圧部挿通孔５９の周囲の位置からは、下方向に向かって筒状の制音用突起６３が突出している。制音用突起６３は、下方向に向かってその外径を少しずつ小さくし且つ内径は一定とする先細りの筒形状である（例えば図５参照）。制音用突起６３の内径寸法は、押圧部挿通孔５９の内径寸法と同一である。制音用突起６３には、前記一対の突起部挿通溝６１に連結する一対の切り欠き６５が設けられている。切り欠き６５は制音用突起６３の突起部挿通溝６１に接続する部分からその下端まで、制音用突起６３を２つの部分に分割するように設けられている。制音用突起６３の上下方向の長さは、以下で説明するように、押圧部挿通孔５９に挿入するキートップ１００ａ，１００ｂ，１００ｃ，１００ｄのスイッチ押圧部１０５の下端よりも制音用突起６３の下端の方が少し下方に位置する長さとしている。
【００１９】
キートップ保持体５０の周囲には板厚を厚くしてなる枠部６９が設けられ、枠部６９中には上下に貫通する位置決め孔７１が設けられている。
【００２０】
キートップ１００ａ，１００ｂ，１００ｃ，１００ｄは合成樹脂の成型品であり、この実施形態ではＡＢＳ樹脂を用いているが、他の各種熱可塑性の合成樹脂を用いてもよい。各キートップ１００ａ，１００ｂ，１００ｃ，１００ｄは、略円板形状でいずれも略同一形状のキートップ本体１１０を具備し、その外周下部から薄板リング状のつば部１０１を突出し、またその下面中央に設けた円形の凹部１０３の底面中央から下方向に向かって円柱状のスイッチ押圧部１０５を突出し、さらにスイッチ押圧部１０５の外周面から押圧方向（上下方向）を直交する方向に向けて１対の位置決め用突起部１０７を突出して設けて構成されている。凹部１０３は円形であり、その内径寸法は前記キートップ保持体５０のキートップ取付部５１の外径寸法よりも少し大きい寸法に形成されている。一対ずつの位置決め用突起部１０７はキートップ押圧部１０５の外周側面からその半径方向外方に向けて突出しており、何れも略矩形平板状に形成され、凹部１０３の底面から下方向に向かって立設し、その下端はキートップ押圧部１０５の下端よりも低い位置（上方）に位置している。各キートップ１００ａ，１００ｂ，１００ｃ，１００ｄの一対の位置決め用突起部１０７の突出方向は、各キートップ１００ａ，１００ｂ，１００ｃ，１００ｄ毎に異なっている。具体的には、図３において各キートップ１００ａ，１００ｂ，１００ｃ，１００ｄが並んでいる方向を方向Ａとすると、同図の左端のキートップ１００ａには、前記方向Ａを向く直線状の位置決め用突起部１０７と、方向Ａよりも少し手前側に傾く方向を向く直線状の位置決め用突起部１０７とが設けられ、その隣のキートップ１００ｂには、前記方向Ａを向く直線状の位置決め用突起部１０７と、方向Ａよりも少し奥側に傾く方向を向く直線状の位置決め用突起部１０７とが設けられ、その隣のキートップ１００ｃには、両者とも前記方向Ａを向く直線状の位置決め用突起部１０７が設けられ、右端のキートップ１００ｄには、両者とも前記方向Ａに直交する方向を向く直線状の位置決め用突起部１０７が設けられている。言い換えれば、各キートップ１００ａ，１００ｂ，１００ｃ，１００ｄの１対の位置決め用突起部１０７，１０７の内の少なくともいずれか一方の位置決め用突起部１０７のスイッチ押圧部１０５からの突出方向をキートップ１００ａ，１００ｂ，１００ｃ，１００ｄに応じて異ならせている。また各キートップ１００ａ，１００ｂ，１００ｃ，１００ｄの上面には、それぞれ互いに形状や色などが異なっている表示部１０９が印刷などによって形成されている。
【００２１】
キートップ付スイッチ体１を組み立てるには、まずスイッチ基板１０の各反転板収納部３５内にそれぞれ反転板４０を収納し、反転板４０の外周下面をスイッチ接点１５ｂ上に当接する。そして反転板４０を囲む周壁部３３の一部（少なくとも２か所）を、図６に示すように熱カシメして潰し、潰した固定部４１を反転板４０の外周上面に押し付け、反転板４０を固定する。これによってスイッチ１５が構成される。
【００２２】
一方キートップ保持体５０の各キートップ取付部５１上に各キートップ１００ａ，１００ｂ，１００ｃ，１００ｄを載置し、各キートップ１００ａ，１００ｂ，１００ｃ，１００ｄのスイッチ押圧部１０５及び位置決め用突起部１０７をそれぞれこれらに対向する押圧部挿通孔５９と突起部挿通溝６１に挿入する。図８はキートップ１００ａのスイッチ押圧部１０５をキートップ保持体５０の押圧部挿通孔５９に挿入した部分を下側から見た要部拡大斜視図である。また図５はその概略断面図（位置決め用突起部１０７が位置しない部分の断面図）である。これらの図に示すようにスイッチ押圧部１０５の先端（下端）は、制音用突起６３の先端（下端）よりも少し引っ込んでおり、また両位置決め用突起部１０７は切り欠き６５を通して制音用突起６３の外方（半径方向外方）に突出している。そして図９に示すように前記制音用突起６３から外方に突出している両位置決め用突起部１０７をその下端部分から加熱したこて（または超音波のこて）によって押し潰して熱カシメし、これによってキートップ１００ａをキートップ保持体５０上に取り付ける。他のキートップ１００ｂ，１００ｃ，１００ｄにおいても同様である。さらに具体的に説明すると、各キートップ１００ａ，１００ｂ，１００ｃ，１００ｄは、それらのつば部１０１の外周が図示しない１つの連結部材によって連結されていて、連結された状態のまま裏返した状態で各キートップ１００ａ，１００ｂ，１００ｃ，１００ｄを図示しない治具に挿入・位置決めする。次に連結部材１２０を切断して切り離して独立した各キートップ１００ａ，１００ｂ，１００ｃ，１００ｄをそれぞれ前記治具に位置決めした状態のまま、その上に裏返したキートップ保持体５０を被せて各キートップ１００ａ，１００ｂ，１００ｃ，１００ｄのスイッチ押圧部１０５及び位置決め用突起部１０７をそれぞれこれらに対向するキートップ保持体５０の押圧部挿通孔５９及び突起部挿通溝６１に挿入する。そして加熱したこて（または超音波のこて）を各位置決め用突起部１０７の下端にあてて押し付けて熱カシメすれば、キートップ保持体５０への各キートップ１００ａ，１００ｂ，１００ｃ，１００ｄの取り付け作業が完了する。この実施形態のように、キートップ保持体５０の突起部挿通溝６１に挿入した位置決め用突起部１０７の下端を、キートップ保持体５０の下面において熱カシメすることとすれば、キートップ１００ａ，１００ｂ，１００ｃ，１００ｄを接着剤を用いてキートップ保持体５０に取り付ける場合に比べて、取り付け作業が容易かつ確実に行え、その工程管理も簡素化される。特に一対の位置決め用突起部１０７の下端を熱カシメした場合は、スイッチ押圧部１０５の両側においてキートップ１００ａ，１００ｂ，１００ｃ，１００ｄがキートップ保持体５０に取り付けられるので、キートップ保持体５０がゴム状弾性を有していても、バランス良くかつ強い取付強度で確実にキートップ１００ａ，１００ｂ，１００ｃ，１００ｄを取り付けることができる。
【００２３】
ところでこのキートップ付スイッチ体１は、各キートップ１００ａ，１００ｂ，１００ｃ，１００ｄの１対の位置決め用突起部１０７のスイッチ押圧部１０５の外周面からの半径方向への突出方向を、キートップ１００ａ，１００ｂ，１００ｃ，１００ｄに応じて異ならせているので、複数のキートップ１００ａ，１００ｂ，１００ｃ，１００ｄをキートップ保持体５０に取り付ける際に、各キートップ１００ａ，１００ｂ，１００ｃ，１００ｄ相互の取付位置を間違うことがない。つまりキートップ１００ｃのスイッチ押圧部１０５をキートップ１００ｄ用の押圧部挿通孔５９に挿入しようとしても、その一対の位置決め用突起部１０７と一対の突起部挿通溝６１とが一致しないので、挿入することができない。他の各キートップ１００ａ，１００ｂ，１００ｃ，１００ｄ相互間においても同様である。なおたとえばキートップ１００ｃとキートップ１００ｄとは、９０°回転することで相互の一対の位置決め用突起部１０７と、一対の突起部挿通溝６１とが一致するので、その挿入が可能となるが、キートップ１００ｃやキートップ１００ｄの表示部１０９には方向性があるので、９０°その方向が変化していることは目視により容易に知ることができ、問題ない（両者相互の位置が方向性が正しいまま取り違えられる方が目視で分かりにくい）。なおいずれの回転方向に対しても各キートップ１００ａ，１００ｂ，１００ｃ，１００ｄの誤挿入を防止するには、スイッチ押圧部１０５から突出する一対の位置決め用突起部１０７のスイッチ押圧部１０５の中心軸からの半径方向への突出角度をすべて異ならせばよい。
【００２４】
そして前記反転板４０を取り付けたスイッチ基板１０上に各キートップ１００ａ，１００ｂ，１００ｃ，１００ｄを取り付けたキートップ保持体５０を載置し、その際スイッチ基板１０に設けた各小突起３７をキートップ保持体５０の各位置決め孔７１に挿入すれば、図１に示すキートップ付スイッチ体１が完成する。なお上記組立手順はその一例であり、他の各種異なる組立手順を用いて組み立てても良いことはいうまでもない。
【００２５】
図６，図７はそれぞれ以上のようにして組み立てられたキートップ付スイッチ体１のキートップ１００ｄの部分の異なる断面における拡大概略断面図である。なおこれ以外のキートップ１００ａ，１００ｂ，１００ｃも同様の構造である。両図に示すように、キートップ１００ｄのスイッチ押圧部１０５の下端面は反転板４０の上面に当接しており、従って図５に示すようにスイッチ押圧部１０５の下端面よりも少し突出している制音用突起６３の下端は反転板４０の上面に少し押し付けられることで、弾性を持って当接している。
【００２６】
そしてキートップ１００ｄの上面を真下に向けて押圧すれば、たわみ部５７がたわむことでキートップ１００ｄが下降し、スイッチ押圧部１０５が反転板４０を押圧してこれを反転し、反転板４０の中央部分が下降してスイッチパターン１５ａに当接し、スイッチ１５をオンする。前記キートップ１００ｄへの押圧を解除すれば反転板４０およびたわみ部５７は元の形状に自動復帰し、キートップ１００ｄは上昇し、前記スイッチ１５はオフする。
【００２７】
そして前記キートップ１００ｄによるスイッチ１５のオン・オフ動作の際、スイッチ押圧部１０５の周囲の制音用突起６３の先端が反転板４０の上面に当接（弾接）しているので、反転板４０が反転または元の形状に戻る際に発生しようとする音や振動が抑制または吸収され、クリック感覚は生じるが音や余分な振動は減衰・防止される。この効果は、この実施形態のように、スイッチ１５としてその上部に反転板４０を設置している場合の反転板４０から生じる音や振動を抑制するのに特に効果的であるが、反転板を設置していないスイッチ（たとえば２枚の合成樹脂フイルムを重ね合わせ、対向する面に設けたスイッチパターン同士を隙間を介して対向させてなる構造で反転板を設置していない構成のメンブレンスイッチなど）にも適用できる。またこの制音用突起６３はキートップ保持体５０の一部として形成されるので、部品点数が増加することなく、組み立て工数も増加せず、容易かつ低コストに生産することができる。なおこの実施形態においては、制音用突起６３は２つの切り欠き６５によって２つの部分に分離されているので、スイッチ１５（反転板４０）を押圧する力が、両切り欠き６５がない完全な筒状の制音用突起に比べて適度に弱くなり、適度な弾発力となるので好適である。
【００２８】
以上本発明の実施形態を説明したが、本発明は上記実施形態に限定されるものではなく、特許請求の範囲、及び明細書と図面に記載された技術的思想の範囲内において種々の変形が可能である。なお直接明細書及び図面に記載のない何れの形状・構造・材質であっても、本願発明の作用・効果を奏する以上、本願発明の技術的思想の範囲内である。例えば上記実施形態では各キートップに位置決め用突起部を１対設けたが、１または３つ以上の複数個設けてもよい。上記実施形態ではキートップ保持体の突起部挿通溝に挿入したキートップの位置決め用突起部の下端（先端）を熱カシメしたが、場合によっては熱カシメを省略してもよい。また上記実施形態では制音用突起の下端（先端）を押圧部挿通孔に挿入するスイッチ押圧部の下端（先端）よりも下方に位置させたが、両下端を同一位置に位置させてもよい。なお制音用突起の下端をスイッチ押圧部の下端よりも下方に位置させた方がスイッチ（特に反転板）を少し弾圧するので、制音効果は大きい。
【図面の簡単な説明】
【００２９】
【図１】キートップ付スイッチ体１の斜視図である。
【図２】キートップ付スイッチ体１の分解斜視図である。
【図３】キートップ付スイッチ体１を下側から見た分解斜視図である。
【図４】フレキシブルスイッチ基板１１の斜視図である。
【図５】キートップ保持体５０に装着したキートップ１００ａの部分の拡大概略断面図である。
【図６】キートップ付スイッチ体１のキートップ１００ｄの部分の拡大概略断面図である。
【図７】キートップ付スイッチ体１のキートップ１００ｄの図６とは異なる部分の拡大概略断面図である。
【図８】キートップ保持体５０に装着したキートップ１００ａの部分を下側から見た要部拡大斜視図である。
【図９】図８に示す位置決め用突起部１０７を熱カシメした状態を示す要部拡大斜視図である。
【符号の説明】
【００３０】
１  キートップ付スイッチ体
１０  スイッチ基板
１１  フレキシブルスイッチ基板
１５  スイッチ
１５ａ，１５ｂ  スイッチパターン
３０  基板取付台
４０  反転板
５０  キートップ保持体
５９  押圧部挿通孔
６１  突起部挿通溝
６３  制音用突起
６５  切り欠き
１００ａ，１００ｂ，１００ｃ，１００ｄ  キートップ
１０５  スイッチ押圧部
１０７  位置決め用突起部
１１０  キートップ本体
【図１】
2010118197.tif 000003
【図２】
2010118197.tif 000004
【図３】
2010118197.tif 000005
【図４】
2010118197.tif 000006
【図５】
2010118197.tif 000007
【図６】
2010118197.tif 000008
【図７】
2010118197.tif 000009
【図８】
2010118197.tif 000010
【図９】
2010118197.tif 000011